(57)【要約】【課題】使用寿命と操作の便利性を向上させる二又または三又プラグに変換可能な両用プラグを提供することを課題とする。【解決手段】１対の偏平接続ピンと柱状接続ピンとを有するプラグにおいて、柱状接続ピンの両端に幅がその直径よりも小さい第１凹部と第２凹部が形成され、柱状接続ピンが貫通する長方孔が形成された押圧片が柱状接続ピンに対して垂直に設けられ、押圧片が柱状接続ピンの第１凹部と係合するとき、柱状の接続ピンはプラグ本体内に内縮し、押圧片が柱状接続ピンの第２凹部と係合するとき、柱状の接続ピンはプラグ本体外に突出することにより、二又または三又プラグに自在に変換することができる。【選択図】図３
0003112390.tif 000002
【実用新案登録請求の範囲】
【請求項１】
筒状のプラグハウジングと、
１対の偏平接続ピン及び一端に第１凹部、他端に第２凹部が形成された柱状接続ピンとを有する、前記プラグハウジング内に設けられたプラグ本体と、
前記プラグハウジングの前面を覆う円盤体と、
前記柱状接続ピンを収容する、前記円盤体の内側に設けられた収容体と、
前記柱状接続ピンと接続される第１バネが内部に設けられ、前記柱状接続ピンの動作を前記収容体内に制限する、前記収容体とはめ合わされた絶縁ハウジングと、
前記柱状接続ピンが貫通する長方孔が形成され、前記収容体内に設けられた第２バネと接続される、前記柱状接続ピンに対して垂直に設けられた押圧片とを備え、
前記押圧片が第２バネを押し、前記柱状接続ピンが第１バネを圧縮し、前記押圧片が前記柱状接続ピンの第１凹部と係合すると、前記柱状接続ピンが前記プラグ本体内に収容され、前記押圧片が第２バネを押し、前記柱状接続ピンが第１バネに付勢され、前記押圧片が前記柱状接続ピンの第２凹部と係合すると、前記柱状接続ピンが前記プラグ本体の外に突出されることにより、二又または三又プラグに変換できる両用プラグ。
【請求項２】
前記柱状接続ピンに形成された第１凹部の幅と第２凹部の幅が、前記柱状の接続ピンの直径よりも小さい請求項１に記載の両用プラグ。
【請求項３】
前記押圧片が、前記プラグハウジングの外に突出する請求項１または２に記載の両用プラグ。
【考案の詳細な説明】
【技術分野】
【０００１】
本考案は両用プラグに関し、特に二又または三又プラグに変換可能な両用プラグに関する。
【背景技術】
【０００２】
従来から、三角形に分布する、二つの偏平接続ピンと、一つの柱状接続ピンとが設けられたプラグ本体と、前記柱状接続ピンの下方に設けられた、バネを収容するための中空内部を有する収容室と、前記プラグ本体における水平溝に差し込まれた、一端が外部に露出し、他端にバネが設けられた押圧部材とを備え、前記押圧部材の押圧操作により、前記押圧部材が前記柱状の接続ピンを係止し、前記柱状の接続ピンがプラグ本体外に突出し、またはプラグ本体内に内縮することにより、二又または三又プラグに変換することができる両用プラグが知られている（特許文献１）。
【０００３】
図７は三又ソケットを示す図であり、前記特許文献１に開示されたプラグでは、プラグの柱状の接続ピンを三又ソケットに差し込む際に、柱状接続ピンは挟片９０に挟持接続される。図８に示すように、柱状の接続ピンは環状の凹み９１を有し、その周縁は鋭い形状をしている。従って、柱状接続ピンを挟片９０に挿入すると、上頸部９１の鋭い周縁は銅製の挟片９０を削り取り、銅の削れ屑が生じ、環状の凹みを塞ぎやすく、柱状接続ピンをプラグ本体内に内縮させることができなくなるといった問題がある。
【０００４】
また、上頸部９１は構造的に折り曲がりやすい環状の凹みを有し、これに起因して、柱状の接続ピンが折り曲がりやすいといった欠点もある。さらに、防水のために、三又プラグを防水ソケットに差し込む場合、防水ソケットがプラグの周縁と押圧部材を完全に覆ってしまい、押圧部材の押圧操作を行うことができないという問題もある。
【特許文献１】台湾実用新案公告第２７３９３４号公報
【考案の開示】
【考案が解決しようとする課題】
【０００５】
本考案は上記のような問題点に鑑みてなされたものであり、柱状接続ピンにその直径よりも小さい幅の溝状の凹部を形成することにより、挟片と接触摩擦することがなく、銅の削れ屑に起因して、柱状の接続ピンをプラグ本体内に内縮させることができない状態を招くことを防止できる両用プラグを提供することを課題とする。
【０００６】
また、本考案は柱状接続ピンにその直径よりも小さい幅の溝状の凹部を形成することにより、柱状の接続ピンが折り曲がるのを防止する両用プラグを提供することを第２の課題とする。
【０００７】
また、本考案は押圧部材をプラグ本体の外部に設けることにより、柱状接続ピンを防水ソケットに差し込んだ際にも、押圧部材の押圧操作を行うことができる両用プラグを提供することを第３の課題とする。
【課題を解決するための手段】
【０００８】
前記目的を達成するために、本考案は、
１．筒状のプラグハウジングと、
１対の偏平接続ピン及び一端に第１凹部、他端に第２凹部が形成された柱状接続ピンとを有する、前記プラグハウジング内に設けられたプラグ本体と、
前記プラグハウジングの前面を覆う円盤体と、
前記柱状接続ピンを収容する、前記円盤体の内側に設けられた収容体と、
前記柱状接続ピンと接続される第１バネが内部に設けられ、前記柱状接続ピンの動作を前記収容体内に制限する、前記収容体とはめ合わされた絶縁ハウジングと、
前記柱状接続ピンが貫通する長方孔が形成され、前記収容体内に設けられた第２バネと接続される、前記柱状接続ピンに対して垂直に設けられた押圧片とを備え、
前記押圧片が第２バネを押し、前記柱状接続ピンが第１バネを圧縮し、前記押圧片が前記柱状接続ピンの第１凹部と係合すると、前記柱状接続ピンが前記プラグ本体内に収容され、前記押圧片が第２バネを押し、前記柱状接続ピンが第１バネに付勢され、前記押圧片が前記柱状接続ピンの第２凹部と係合すると、前記柱状接続ピンが前記プラグ本体の外に突出されることにより、二又または三又プラグに変換できる両用プラグ、
２．前記柱状接続ピンに形成された第１凹部の幅と第２凹部の幅が、前記柱状の接続ピンの直径よりも小さい前項１に記載の両用プラグ、
３．前記押圧片が、前記プラグハウジングの外に突出する前項１または２に記載の両用プラグ、
よりなる。
【考案の効果】
【０００９】
以上説明したように、本考案の両用プラグによれば、柱状接続ピンに幅がその直径よりも小さい溝状の凹部を形成することにより、挟片と接触摩擦することにより生じる銅の削れ屑がなく、柱状接続ピンをプラグ本体内に伸縮自在に収納することができる。
【００１０】
また、本考案の改良式の両用プラグによれば、柱状接続ピンに幅がその直径よりも小さい溝状の切欠きを形成することにより、柱状接続ピンは折り曲がりにくくなり、柱状接続ピンの使用寿命を向上させることができる。
【００１１】
また、本考案の両用プラグによれば、押圧部材をプラグ本体の外部に露出させることにより、柱状接続ピンを防水ソケットに差し込んでも、押圧操作を行うことができ、操作の便利性を向上させることができる。
【考案を実施するための最良の形態】
【００１２】
以下、図面を参考しながら、本考案を更に詳細に説明するが、本考案はこれらに限定されるものではない。
【００１３】
図１〜図３に示すように、本考案に係る両用プラグはプラグハウジング１０内にプラグ本体１１が設けられ、プラグ本体１１の前方にはプラグハウジング１０の前面を覆う円盤体１１１が設けられる。１対の偏平接続ピン１２が差し込まれる平行した接続ピン挿入孔１１２が円盤体１１１の周縁部に設けられ、柱状の接続ピン１３を収容する収容体１１３が円盤体１１１の中央部に設けられる。第１バネ１５１及び柱状接続ピン１３を収容し、かつ第１バネ１５１及び柱状接続ピン１３の動作を収容体１１３内に制限する絶縁ハウジング１５が収容体１１３とはめ合わされる。絶縁ハウジング１５の下に、ねじ１５３により絶縁ハウジング１５を収容体１１３に固定するためのボルト座１５２が設けられる。柱状接続ピン１３の両端に、それぞれ幅がその直径よりも小さい第１凹部１３１と第２凹部１３２が形成される。収容体１１３の両側にコードを挟持する挟持部１２１を有する接地弾性片１４が設けられる。
【００１４】
押圧片１６は押圧部１６１と孔座１６２を有し、押圧部１６１がプラグハウジング１０に形成した孔１０１の外に突出している。孔座１６２に柱状接続ピン１３が貫通する長方孔１６３が形成され、長方孔１６３の底縁１６５が柱状接続ピン１３における第１凹部１３１と第２凹部１３２に係合する。また、収容体１１３内に押圧部１６１を付勢する第２バネ１６４が設けられる。孔座１６２及び第２バネ１６４が収容体１１３に対して垂直にはめ込まれ、柱状の接続ピン１３が長方孔１６３を貫通することにより、押圧片１６の動作が制限される。第２バネ１６４を押すことにより、長方孔１６３が移動され、底縁１６５と第１凹部１３１及び第２凹部１３２との係合が解除される。
【００１５】
図６Ａないし図６Ｃは本考案に係る柱状接続ピン１３の伸縮動作を示す図である。図６Ａに示すように、柱状接続ピン１３の末端に接続する第１バネ１５１の付勢により柱状の接続ピン１３がプラグ本体１１の円盤体１１１外に突出する。この状態では、第２バネ１６４の付勢で長方孔１６３の底縁１６５を柱状接続ピン１３の第２凹部１３２に係合することにより、押圧片１６は固定される。図６Ａに示すように、矢印Ｇ１の方向に押圧部１６１を押圧し、第２バネ１６４を押すことにより、長方孔１６３の底縁１６５と第２凹部１３２との係合が解除されるとともに、図６Ｂに示すように、矢印Ｇ２の方向に第１バネ１５１を押すことにより、柱状接続ピン１３が収容体１１３内へ内縮する。これにより、図６Ｃに示すように、押圧片１６における長方孔１６３の底縁１６５を第１凹部１３１に係合させることにより、柱状の接続ピン１３がプラグ本体１１内に内縮し、プラグは三又から二又に変換される。
【００１６】
なお、図６Ｃに示すように、矢印Ｇ３の方向に押圧部１６１を押圧し、長方孔１６３の底縁１６５と第１凹部１３１との係合が解除されるとともに、第１のバネ１５１の回復力で柱状の接続ピン１３が図６Ａに示す元の位置に戻すことにより、プラグは二又から三又に変換される。
【００１７】
本考案に係る柱状接続ピン１３は図９に示すように、第１凹部１３１は下方に位置し、幅が柱状の接続ピン１３の直径よりも小さく、柱状の接続ピン１３を三又ソケット内に挿入し、挟片９０に挟持されるときは銅製の挟片９０を削り取ることがないので、従来のように銅の削れ屑を生じる問題がない。
【００１８】
また、柱状接続ピン１３に第１凹部１３１及び第２凹部１３２だけを形成することにより、従来のように環状の凹みに起因して、柱状の接続ピンが折り曲がりやすいという問題がないので、柱状の接続ピン１３の使用寿命を向上させることができる。
【００１９】
また、押圧片１６の押圧部１６１はプラグハウジング１０の外部に突出するので、プラグを防水ソケットに差し込むとき、プラグ本体１１の円盤体１１１が完全に覆われても、押圧片の押圧操作を行うことができ、操作の便利性を向上させることができる。
【００２０】
以上、本考案による改良式の両用プラグの実施例を詳述したが、本考案は、前記実施例に限定されるものではなく、本考案の要旨と実用新案登録請求の範囲を逸脱しない範囲で種々変更が可能であることは言うまでもない。
【図面の簡単な説明】
【００２１】
【図１】本考案の両用プラグの外観を示す斜視図である。
【図２】本考案の両用プラグを示す分解図である。
【図３】プラグハウジングが外された本考案の両用プラグを示す斜視図である。
【図４】コードが外された図３の側面図である。
【図５】図３の正面図である。
【図６Ａ】本考案に係る柱状接続ピンの伸縮動作を示す図である。
【図６Ｂ】本考案に係る柱状接続ピンの伸縮動作を示す図である。
【図６Ｃ】本考案に係る柱状接続ピンの伸縮動作を示す図である。
【図７】挟片を含む三又ソケットを示す分解図である。
【図８】従来の柱状接続ピンと挟片との係合を示す図である。
【図９】本考案に係る柱状接続ピンと挟片との係合を示す図である。
【符号の説明】
【００２２】
１０    プラグハウジング
１１    プラグ本体
１２    接続ピン
１３    柱状の接続ピン
１４    接地弾性片
１５    絶縁ハウジング
１６    押圧片
９０    挟片
９１    上頸部
１０１  孔
１１１  円盤体
１１２  接続ピン挿入孔
１１３  収容体
１２１  挟持部
１３１  第１凹部
１３２  第２凹部
１５１  第１バネ
１５２  ボルト座
１５３  ねじ
１６１  押圧部
１６２  孔座
１６３  長方孔
１６４  第２バネ
１６５  底縁
【図１】
0003112390.tif 000003
【図２】
0003112390.tif 000004
【図３】
0003112390.tif 000005
【図４】
0003112390.tif 000006
【図５】
0003112390.tif 000007
【図６Ａ】
0003112390.tif 000008
【図６Ｂ】
0003112390.tif 000009
【図６Ｃ】
0003112390.tif 000010
【図７】
0003112390.tif 000011
【図８】
0003112390.tif 000012
【図９】
0003112390.tif 000013